(57)【要約】【課題】長期間にわたり害虫検出装置を設置した場合でも害虫検出装置内の餌等が浸水されにくく、かつ餌等の交換の際に害虫検出装置内で誤って害虫を潰すことを防止することのできる害虫検出装置を提供する。【解決手段】側面に複数の開口を有する有底の筒部２を備えており、筒部２を地中に埋設することにより筒部２内に入れた餌に害虫を検出する目的で使用される害虫検出装置１において、筒部２の下端部を構成し、内部に空間が形成された筒末端部５と、筒部２と筒末端部５との間に配設された複数の開口を有する餌落下防止部６とを備えた構成とする。【選択図】　　　図１
2004135516.tif 000002
【特許請求の範囲】
【請求項１】
側面に複数の開口を有する有底の筒部を備えており、前記筒部を地中に埋設することにより前記筒部内に入れた餌に害虫を検出するために使用される害虫検出装置であって、
前記筒部の下端部を構成し、内部に空間が形成された筒末端部と、
前記筒部と前記筒末端部との間に配設され、前記筒部に挿入される餌が前記筒末端部に落下するのを防止するとともに、害虫が自由に通過可能な隙間を有する餌落下防止部と、
を備えたことを特徴とする害虫検出装置。
【請求項２】
前記餌落下防止部は、前記筒部と前記筒末端部との間に配設された複数の開口を有する格子であることを特徴とする請求項１記載の害虫検出装置。
【請求項３】
前記餌落下防止部は、前記筒部又は前記筒末端部の筒内壁に突出形成された係止用突起部であることを特徴とする請求項１記載の害虫検出装置。
【請求項４】
前記筒部に挿脱可能な、害虫の餌を収納する網目又は格子目状の籠体を有し、前記係止用突起部は、前記筒部に挿入された籠体が前記筒末端部に落下しないように係止することを特徴とする請求項３記載の害虫検出装置。
【発明の詳細な説明】
【０００１】
【発明の属する技術分野】
本発明は、地中に埋設してシロアリ等の害虫を検出することによって、害虫の活動を調べるとともに、害虫根絶剤（ベイト剤）を投入して、地下或いは地上部加害箇所にいる害虫を駆除するために使用される害虫検出装置に関する。
【０００２】
【従来の技術】
従来から、地下の害虫、特にシロアリの活動を検出し抑制するための害虫防除システムとして、シロアリが好むように調整した害虫根絶剤を、シロアリにつぎつぎと摂取させ、巣のシロアリ全体に害虫根絶剤が行きわたることによりシロアリを巣ごと壊滅させるものが知られている（例えば、特許文献１、非特許文献１参照）。かかる害虫防除システムにおいては、地下のシロアリの活動を検出して、シロアリにうまく害虫根絶剤を摂取させる必要がある。そこで、地下のシロアリの活動を検出するために、地中に埋設してシロアリを検出することで、シロアリが地下から接近したことを検出する害虫検出装置が使用される。そして、使用者が害虫検出装置にシロアリが侵入してきたことを確認すると、当該害虫検出装置の内部に害虫根絶剤を含む餌（例えば、ヘキサフルムロンを有効成分とする害虫根絶剤を含む餌）を投入して、シロアリに害虫根絶剤を摂取させ、地下にいるシロアリを駆除する。
【０００３】
かかる害虫検出装置としては、特許文献１〜６に記載のものが知られている。
【０００４】
これらの公報に記載の害虫検出装置は、側壁に複数の開口が形成された筒部を有し、この筒部を地中に埋設して筒部内に入れた餌に害虫を誘引する構成としたものである。害虫の餌としては、例えば、シロアリの場合には、餌木やシロアリを誘引するフェロモン物質などが入れられる。
【０００５】
【特許文献１】
特開２０００−８３５５１号公報
【特許文献２】
特表平２００１−５２０５１７号公報
【特許文献３】
特開平１０−１７９０００号公報
【特許文献４】
特開平１０−２７６６４６号公報
【特許文献５】
米国特許４８６６８８０号公報
【特許文献６】
米国特許５３２９７２６号公報
【非特許文献１】
”セントリコン・システム”，［ｏｎｌｉｎｅ］，ダウ・アクロサイエンス社，インターネット，［平成１４年７月１７日検索］，＜ＵＲＬ：ｈｔｔｐ：／／ｗｗｗ．ｄｏｗａｇｒｏ．ｃｏｍ／ｊｐ／ｐｐｍ／Ｓｅｎｔｒｉｃｏｎ／ｓｅｎ０１．ｈｔｍｌ＞
【０００６】
【発明が解決しようとする課題】
上記従来の害虫検出装置は、地面に設置する際に最初に掘削孔を掘削し、この掘削孔に害虫検出装置を差し込んでから、害虫検出装置の周囲を埋め戻す埋込型（特許文献１，２，６参照）、及び、杭状に形成され、地面に設置する際には地面を掘削することなく直接害虫検出装置を地面に打ち込んだり、さし込んだりする打込型（特許文献３，４，５参照）の２種に大別される。
【０００７】
図１２は従来の埋込型の害虫検出装置の代表的な形状を示す図、図１３は従来の埋込型の害虫検出装置を地面に設置した状態を示す図である。
【０００８】
図１２に示すように、従来の埋込型の害虫検出装置１００は、円筒状又は角筒状の有底筒部１０１を有しており、この有底筒部１０１の底部１０２が平面に形成されている。そして、これを地面に設置する際には、作業者は、まず地面に設置穴１０３を掘削する。この際、設置穴１０３の深さは、有底筒部１０１の長さよりも深く掘削する。そして、この設置穴１０３に害虫検出装置１００を差し込んで設置が完了する。この状態においては、害虫検出装置１００の底部１０２と設置穴１０３の底との間には、空間１０４が形成される。従って、設置後に害虫検出装置１００内に雨水が侵入した場合でも、この空間１０４に即座に排水されるため、害虫検出装置１００の内部が浸水することが防止される。
【０００９】
しかしながら、害虫検出装置１００を設置してから長期間経過すると、雨水や地下水により土壌が運ばれることによって、害虫検出装置１００の底部１０２と設置穴１０３の底との間の空間１０４が土で埋まってしまう。また、害虫検出装置１００を設置する際にも、設置の際に掘った穴の周りの土を固める際に、穴の周りの土が穴の中に崩れ落ち、空間１０４が土で埋まってしまう場合もある。かかる場合、害虫検出装置１００内に雨水が侵入した場合に、害虫検出装置１００から外部への排水がうまく行われにくくなり、害虫検出装置１００内の餌や害虫根絶剤を含む餌が浸水するようになる。そうすると、害虫検出装置１００から害虫が逃げ出してしまうため、害虫の活動を検出できなくなる。
【００１０】
また、従来の打込型の害虫検出装置においては、害虫検出装置を地面に打ち込んだり、さし込んだりして設置するため、害虫検出装置の周囲の地面が圧縮されるため、水捌けが悪くなり、害虫検出装置内に雨水が浸入した場合にそれが排水されにくいという問題があった。
【００１１】
また、従来の害虫検出装置では、図１４に示したように、餌に害虫が誘引されたのを確認した場合に、餌を新しいものに入れ替えたり上段に害虫根絶剤を投入する際に、害虫検出装置の内部にいる害虫を餌木等で潰してしまう場合がある。このように、害虫検出装置の内部で害虫を潰すと、その害虫の死骸から死臭が発生し、害虫は害虫検出装置内に入ることを忌避するようになる。従って、害虫検出装置による害虫の活動が検出されにくくなる。
【００１２】
そこで、本発明の目的は、長期間にわたり害虫検出装置を設置した場合でも害虫検出装置内の餌等が浸水されにくく、かつ餌等の交換の際に害虫検出装置内で誤って害虫を潰すことを防止することのできる害虫検出装置を提供することにある。
【００１３】
【課題を解決するための手段】
本発明の害虫検出装置は、側面に複数の開口を有する有底の筒部を備えており、前記筒部を地中に埋設することにより前記筒部内に入れた餌に害虫を誘引するために使用される害虫検出装置であって、前記筒部の下端部を構成し、内部に空間が形成された筒末端部と、前記筒部と前記筒末端部との間に配設され、前記筒部に挿入される餌が前記筒末端部に落下するのを防止するとともに、害虫が自由に通過可能な隙間を有する餌落下防止部とを備えたことを特徴とする。
【００１４】
この構成により、害虫検出装置の筒部と筒末端部との間に餌落下防止部が配設されているため、害虫検出装置の筒内に装填された餌や害虫根絶剤は餌落下防止部によって止められ、それ以上下方には落下しないから、筒末端部の底と餌又は害虫根絶剤との間には常に一定の空間（以下、「緩衝空間」という。）が介在する。従って、降雨等により筒部内に水が流れ込んだ場合でも、水は緩衝空間に流出し、排水作用が発揮され、即座に餌や害虫根絶剤が浸水することが防止される。従って、餌や害虫根絶剤が浸水することにより、筒部内にいるシロアリ等の害虫が筒部内から逃げ出すことが防止される。
【００１５】
また、筒末端部内の空間は、筒末端部の外壁によって形状が維持されているため、害虫検出装置を長期間設置した場合でも、土で埋まることなく筒末端部内の空間は維持されるため、長期間にわたり上記排水作用は維持される。
【００１６】
一方、シロアリ等の害虫は、餌落下防止部に形成された隙間を通って、筒部と筒末端部との間を自由に通過することができる。そのため、筒部内の餌に害虫がいるか否かを確認したり、害虫が検出された場合に害虫根絶剤を投入する際に、餌を引き抜く際に筒部内に落下した害虫は、餌落下防止部の隙間を通過して筒末端部の空間に落下する。従って、その後装填される餌や害虫根絶剤を入れた際に、筒底部で害虫を潰すのを防止することができる。これにより、筒部内にシロアリ等の害虫の死骸が残ることを極力防止することができるため、害虫が、筒部内の死んだ害虫の死臭によって害虫検出装置を忌避することを防止することができる。
【００１７】
ここで、「餌落下防止部」は、餌が筒末端部に落下するのを防止するとともに、害虫が自由に通過可能な隙間を有する部材であればよく、縦縞格子、十字格子、菱格子、多数の穴が形成された多孔板、筒部又は筒末端部の筒内壁に突出形成された係止用の突起等を使用することができる。「筒末端部」は、内部に空間が形成された形状であればよく、有底筒状、錐状、半球殻状、回転楕円殻状等に形成するとができる。
【００１８】
また、上記害虫検出装置においては、特に、前記餌落下防止部は、前記筒部と前記筒末端部との間に配設された複数の開口を有する格子とすることができる。この構成により、筒部に挿入される餌は、格子によって係止され、筒末端部に落下するのを防止することができる。また、格子の間隙を通して、害虫が筒部と筒末端部との間を自由に通過できる。そして、餌の大きさによって、格子の目（間隙）の大きさを調節すれば、種々の大きさの餌に対して、害虫検出装置を使用することができる。
【００１９】
また、上記害虫検出装置において、餌落下防止部を十字枠により構成することができる。この構成により、筒部内の餌を入れ替えたり、餌に代えて害虫根絶剤を装填する場合に、餌を引き抜く際に筒部内に落下した害虫は、餌落下防止部に引っかかることなく筒末端部に落下するため、餌落下防止部に引っかかった害虫を、新たに筒部に装填する餌や害虫根絶剤により潰してしまうことが極力防止できる。
【００２０】
また、上記害虫検出装置において、前記餌落下防止部は、前記筒部又は前記筒末端部の筒内壁に突出形成された係止用突起部とすることができる。この構成により、筒部に挿入される餌は、係止用突起部によって係止され、筒末端部に落下するのを防止することができる。また、係止用突起部以外はなにもない空間であるため、害虫が筒部と筒末端部との間を自由に通過できる。また、係止用突起部以外のところでは、筒部と筒末端部とが筒抜けであるため、筒末端部にゴミや土等が溜まった場合、害虫検出装置を土中に埋設したまま、上部からゴミや土等を取り出して掃除することが簡単である。
【００２１】
この場合、前記筒部に挿脱可能な、害虫の餌を収納する網目又は格子目状の籠体を有し、前記係止用突起部は、前記筒部に挿入された籠体が前記筒末端部に落下しないように係止する構成とすることができる。この構成により、害虫の餌を筒部に挿脱するのが容易となるため、餌の入れ替えや害虫の有無の点検等の作業が容易となる。
【００２２】
また、上記害虫検出装置において、筒末端部の底部に一又は二以上の水抜穴を形成することができる。これにより、筒末端部の内部に流入した水は、水抜穴から排水されるため、筒末端部の内部が水で一杯になることを極力防止することができる。また、筒末端部の内部に落ちた害虫は、この水抜穴を通って害虫検出装置の内部から脱出することができるため、筒末端部の内部で害虫が死んで死骸となり、この害虫の死骸から出る死臭によって害虫検出装置を忌避することを防止することができる。さらには、この水抜穴を通って、害虫が害虫検出装置内へ侵入することも可能であり、害虫が害虫検出装置内へ出入りしやすくなるため、害虫誘因効果が高くなる。
【００２３】
また、上記害虫検出装置において、筒末端部の形状を下に凸の半球殻状に形成し、この半球殻状の筒末端部の最下部に水抜穴を形成した構成とすることができる。この構成により、筒末端部の内部に落下した害虫は、半球殻状の内壁面を転がり落ちて筒末端部の最下部に落ちる。この最下部には水抜穴が形成されているため、害虫は容易に水抜穴を発見することが可能であり、筒末端部の外部へ容易に脱出することができる。
【００２４】
【発明の実施の形態】
以下、本発明の一実施形態について図面を参照しながら説明する。
（実施形態１）
図１は本発明の実施形態１に係る害虫検出装置の正面破断面図、図２は餌落下防止部の平面図、図３は筒末端部の正面破断面図、図４は筒末端部の底面図である。
【００２５】
図１〜図４において、本実施形態の害虫検出装置１は、基本的構成として、格子状に形成された複数の開口２ａを有する円筒状の筒部２、筒部２の上端に接続され円筒状の筒部本体３ａの上端部分にフランジ３ｃが形成された蓋取付部３、蓋取付部３の上端の開口開閉可能に取り付けられた円板状の蓋部４、筒部２の下端側に接続された半球殻状の筒末端部５、及び筒部２と筒末端部５との間に配設された餌落下防止部６とを備えている。
【００２６】
また、具体的構成として、筒部２は、一又は二以上の部分筒体７が螺合されて構成されている。尚、図１においては、その一例として２つの部分筒体７から構成された筒部２を有する害虫検出装置１を示している。蓋取付部３は、筒部２と同径の円筒状の筒部本体３ａと、筒部本体３ａの筒軸と垂直な方向に張り出したフランジ３ｃを有するフランジ部３ｂとが螺合された構造を有する。蓋部４は、円盤状の蓋本体４ａ、蓋本体４ａの上面の中央部分に突出形成された円筒状の摘部４ｂ、及び蓋本体４ａの下面に突出形成された短筒状状の嵌合部４ｃからなる。この嵌合部４ｃを蓋取付部３の上面の開口に嵌め合わせることにより、害虫検出装置１の筒上部が閉蓋される。筒末端部５は、下方に向かって凸の半球殻状に形成されているが、この筒末端部５の最下端には、水抜穴５ａが貫通形成されている。そして、筒部２、蓋取付部３、及び筒末端部５は、それぞれ螺合されて一体となり害虫検出装置１を構成する。
【００２７】
餌落下防止部６は、円環状の外枠６ａの環内に、外枠６ａの中心で十字状に交差する内枠６ｂが形成されている。尚、本実施形態においては、内枠６ｂは十字状に交差するように構成したが、本発明においては、内枠６ｂの形状はこれに限るものではなく、例えば、外枠６ａの中心から放射状に形成したようなものであってもよい。この餌落下防止部６は、筒部２と筒末端部５の間に配設され、筒末端部５を筒部２に螺合する際に、両者の間に挟んで固定されている。
【００２８】
以上のように構成された本実施形態に係る害虫検出装置において、以下その作用について図５〜図７を参照しながら説明する。
【００２９】
図５は害虫検出装置を地中に設置した状態を示す図、図６は害虫検出装置内に雨水が入ってきた状態を表す図、図７は害虫検出装置内の餌を入れ替える際に害虫が餌から落下した状態を示す図である。
【００３０】
まず、害虫検出装置１を地面に設置する。この場合、作業者は、地面に害虫検出装置１が入る深さの穴を掘削して、害虫検出装置１を埋設する。そして、害虫検出装置１の筒部２内に、餌である餌木８を装填する。この際、餌木８は、重力により筒部２の底に落下するが、餌落下防止部６によって落下が止められ、餌木８と筒末端部５の底部との間には空間が保たれた状態となる。
【００３１】
害虫検出装置１を地面に長期間設置していると、降雨等により、害虫検出装置１の筒部２内に水が流入する場合がある。このような場合、図６に示すように、流入した水は、筒末端部６の底部に溜まり、筒末端部５の底部に開口する水抜穴５ａから地中に徐々に排水される。この際、餌木８は、餌落下防止部６によって、筒末端部５の底部から一定の距離だけ上方に保持されているため、餌木８が筒末端部５の底に溜まった水に浸水されることが防止される。
【００３２】
そのため、筒部２内にいるシロアリ等の害虫が、浸水により筒部２内から逃げ出すことが防止されるため、害虫の検出率を上げることがでる。その結果、有効に害虫駆除を行うことが可能となる。
【００３３】
次に、餌木８にシロアリ等の害虫が検出された場合において、作業者が餌木８を持ち上げシロアリの状況を確認したり、害虫根絶剤を餌木８の上に追加する必要がある。この際、餌木８にとりついた害虫が、筒部２内に落下する場合がある。このような場合、落下した害虫は、餌落下防止部６の枠の間を通り抜けて、筒末端部５の底に落下する。このため、新しい餌木８を入れた場合でも、餌木８により害虫が潰されることが防止される。
【００３４】
そのため、害虫が筒部２内の死んだ害虫の死臭によって害虫検出装置１を忌避することを防止することができる。従って、害虫の検出効果が高く、害虫の検出率を上げることができ、その結果、有効に害虫駆除を行うことが可能となる。
【００３５】
（実施形態２）
図８は本発明の実施形態２に係る害虫検出装置の正面破断面図、図９（ａ）は本発明の実施形態２に係る害虫検出装置の籠体の正面図、図９（ｂ）は本発明の実施形態２に係る害虫検出装置の籠体の底面図、図１０は本発明の実施形態２に係る害虫検出装置の筒末端部の正面破断面図、図１１は本発明の実施形態２に係る害虫検出装置の筒末端部の筒末端部の底面図である。
【００３６】
本実施形態においては、餌落下防止部は、筒末端部５の筒内壁に突出形成された係止用突起部９であることを特徴としている。また、筒部２の内部には、餌木を入れるための格子目状の籠体１０が収納されており、この籠体１０が係止用突起部９に係止されて、籠体１０が筒末端部５に落下することが防止される。
【００３７】
図８乃至図１１に示すように、係止用突起部９は、筒末端部５の上部の開口端付近に、４カ所ほど内側方向に向かって突起状に形成されている。係止用突起部９の長さは、本実施の形態においては、筒末端部５の最大内径（筒末端部５の上部の開口端の内径）の３〜８％の長さとされている。このように、係止用突起部９を設けることによって、筒部２に挿入される籠体１０は、係止用突起部９によって係止され、筒末端部５に落下するのを防止することができる。そして、これにより、籠体１０に収納された餌木が筒末端部５に落下するのを防止することができる。籠体１０の底面及び側面は、図９（ａ）（ｂ）に示したように、格子状の孔が多数設けられているため、シロアリが、籠体１０に自由に出入りすることができ、また、筒部２と筒末端部５との間を自由に通過できる。
【００３８】
更に、本実施の形態においては、筒末端部５の最下端には、水抜穴５ａが貫通形成されており、この水抜穴５ａを中心として、対象に、４つの他の水抜穴５ｂが形成されている。このように、複数の水抜穴を設けることにより、筒末端部５の内部に雨水等が溜まりにくくなるとともに、筒末端部５にシロアリが出入りしやすくなり、よりシロアリの誘因効果を高めることができる。
【００３９】
【発明の効果】
以上のように、本発明の害虫検出装置によれば、餌や害虫根絶剤が浸水することにより、筒部内にいるシロアリ等の害虫が筒部内から逃げ出すことが防止されるため、害虫の検出率を上げることができ、有効に害虫駆除を行うことが可能となる。また、筒部内でシロアリ等の害虫が死ぬことを極力防止することができ、害虫が、筒部内の死んだ害虫の死臭によって害虫検出装置を忌避することを防止することができるため、害虫の検出効果が高く、害虫の検出率を上げることができ、有効に害虫駆除を行うことが可能となる。
【図面の簡単な説明】
【図１】本発明の実施形態１に係る害虫検出装置の正面破断面図である。
【図２】餌落下防止部の平面図である。
【図３】筒末端部の正面破断面図である。
【図４】筒末端部の底面図である。
【図５】害虫検出装置を地中に設置した状態を示す図である。
【図６】害虫検出装置内に雨水が入ってきた状態を表す図である。
【図７】害虫検出装置内の餌を入れ替える際に害虫が餌から落下した状態を示す図である。
【図８】本発明の実施形態２に係る害虫検出装置の正面破断面図である。
【図９】（ａ）本発明の実施形態２に係る害虫検出装置の籠体の正面図である。
（ｂ）本発明の実施形態２に係る害虫検出装置の籠体の底面図である。
【図１０】本発明の実施形態２に係る害虫検出装置の筒末端部の正面破断面図である。
【図１１】本発明の実施形態２に係る害虫検出装置の筒末端部の筒末端部の底面図である。
【図１２】従来の埋込型の害虫検出装置の代表的な形状を示す図である。
【図１３】従来の埋込型の害虫検出装置を地面に設置した状態を示す図である。
【図１４】従来の害虫検出装置に餌を入れるときの状態を表す模式図である。
【符号の説明】
１　害虫検出装置
２　筒部
２ａ　開口
３　蓋取付部
３ａ　筒部本体
３ｂ　フランジ部
３ｃ　フランジ
４　蓋部
４ａ　蓋本体
４ｂ　摘部
４ｃ　嵌合部
５　筒末端部
５ａ，５ｂ　水抜穴
６　餌落下防止部
６ａ　外枠
６ｂ　内枠
７　部分筒体
８　餌木
９　係止用突起部
１０　籠体
【図１】
2004135516.tif 000003
【図２】
2004135516.tif 000004
【図３】
2004135516.tif 000005
【図４】
2004135516.tif 000006
【図５】
2004135516.tif 000007
【図６】
2004135516.tif 000008
【図７】
2004135516.tif 000009
【図８】
2004135516.tif 000010
【図９】
2004135516.tif 000011
【図１０】
2004135516.tif 000012
【図１１】
2004135516.tif 000013
【図１２】
2004135516.tif 000014
【図１３】
2004135516.tif 000015
【図１４】
2004135516.tif 000016